(57)【特許請求の範囲】
【請求項１】
ファインダーの引き出し及び収納が可能なＥＶＦスライドロック装置であって、
第１の筐体と、
前記ファインダーの収納時に前記第１の筐体の内部に収納される第２の筐体と、
前記第１の筐体に固定され、前記ファインダーを収納する方向の先端に凹部を有した弾性部材と、
前記弾性部材の凹部に回転自在に軸支する軸を装着され、当該ファインダーの収納動作時及び引き出し動作時に、前記第２の筐体上を前記軸回りに回転移動するローラーとを備えることを特徴とするＥＶＦスライドロック装置。
【請求項２】
前記第２の筐体に設けられファインダー引き出し時に前記ローラーが係合する第１の溝と、前記第２の筐体に設けられファインダー収納時に前記ローラーが係合する第２の溝とをさらに備えたことを特徴とする請求項１記載のＥＶＦスライドロック装置。
【発明の詳細な説明】
【０００１】
【発明の属する技術分野】
本発明は、ビデオカメラ等などに使用する、エレクトリック・ビュー・ファインダー（以下、ＥＶＦと示す）において、ＥＶＦを使用時に引き出す際、及び未使用時に収納する際のＥＶＦスライドロック装置に関するものである。
【０００２】
【従来の技術】
近年、ビデオカメラの小形化はめざましく、ＥＶＦも小型化が求められている。小型化において光学経路を確保するための手段の一つとして、ＥＶＦにスライド機構を設け、未使用時は小型に収納し、使用時はこれを引き伸ばして光学経路を確保する手法がとられており、収納時と引き出し時を板バネとその板バネのｖ形状部がスライドする際にそのスライドする部材に対し相対的に固定されている部材の溝に上記Ｖ形状部が係合することで所定の引き出し位置、及び収納位置を決めていた。また引き出し位置と収納位置をきめる溝の間はＶ溝部と摺動する部分の摩擦力によってＥＶＦのスライド時における適度なスライド力を発生させていた。
【０００３】
以下に、図面を参照しながら従来のＥＶＦスライドロック装置について説明する。
【０００４】
図６（ａ）は従来のＥＶＦスライドロック装置を備えたビデオカメラ本体である。図６（ｂ）は図６（ａ）のビデオカメラ本体１のＥＶＦ２を引出した状態における従来のＥＶＦスライドロック装置の構成斜視図である。図６（ｃ）は、図６（ｂ）に示す従来のスライドロック機構部の要部断面図である。図６（ｄ）は図６（ｃ）におけるロック機構要部の拡大断面図である。図において、５はＥＶＦ２の外郭を構成する部材でロック力を発生させるための板バネ７を備えた第１の筐体て、６は第１の筐体５内に収納可能でＥＶＦ２の外郭を構成した第２の筐体で、板ばね７のＶ形状が係合される孔６ａを備えた部材である。４は第１の筐体５の端部に固定されたアイキャップである。
【０００５】
以上のように構成された従来のＥＶＦスライドロック装置について、以下にその動作について説明する。
【０００６】
まず、第１の筐体５はＥＶＦ収納時に、第２の筐体６を内部に収納しながら摺動し、ＥＶＦ引き出し時は、図６（ｄ）に示すように、板バネ７のＶ形状部が第２の筐体６の上面を摺動し、孔６ａまで摺動した時に板バネ７の矢印Ｋ方向の荷重によって、図６（ｃ）に示すように第２の筐体６の孔６ａに係合される。この時、図６（ｄ）に示すように、板バネ７は７ａと７ｂのポイントで第２の筐体６に接していることで、所定の位置に位置決めされている。
【０００７】
ＥＶＦ引き出し時状態からＥＶＦ２を収納する時、つまり図６（ｄ）における板バネ７が矢印Ｉ方向に移動し、板バネ７のＶ字形状部が孔６ａから脱出して７’に示す位置に移動する時のクリック荷重は、矢印Ｋ方向の板バネ７の弾性力と、板バネ７のＶ形状部の角度θ１、及びポイント７ａにおける摩擦力により決定される。また、板バネ７が７’に示す位置に移動した時のスライド荷重はポイント７ｄにおける摩擦力が影響する。
【０００８】
【発明が解決しようとする課題】
しかしながら上記の従来の構成では、板バネ７のＶ形状部の角度θ１のバラツキ、また第２の筐体６の孔６ａ端面の面粗さやバリにより、板バネ７のＶ形状部が第２の筐体６の孔６ａから脱出する時の荷重がばらついて、スライド収納時のクリック力にばらつきが発生しやすい。また、板バネ７の金属を鋭角に曲げたＶ形状部表面７ｃにクラックが発生し、表面７ｃの面粗さがばらついて、ポイント７ｄでの摩擦力のばらつきが発生するため、ＥＶＦスライド荷重もばらついて安定しない。耐久性においても、第２の筐体６の表面を板バネ７のＶ字形状部が所定の荷重をかけながら摺動するため、第２の筐体６の表面の塗装がはげて、摺動時の摩擦力が変化し、動作が安定せず、剥げた塗装片がＥＶＦ内に入り込んで視角妨害になるという問題を有していた。
【０００９】
本発明は上記従来の問題を解決するもので、板ばねに軸支された円筒形のローラと樹脂の溝が形状的に安定しており、かつ、ローラーの回動によりローラー同士が接する樹脂面の摩擦抵抗が少ないため、ＥＶＦを収納時から引出す際及び引き出し時から収納する際に、ローラーが溝部からの脱出する時のクリック力や収納時や引出し時のスライド力が安定するＥＶＦスライドロック装置を提供することを目的とする。
【００１０】
【課題を解決するための手段】
この目的を達成するために本発明のＥＶＦスライドロック装置は、ファインダーの引き出し及び収納が可能なＥＶＦスライドロック装置であって、第１の筐体と、前記ファインダーの収納時に前記第１の筐体の内部に収納される第２の筐体と、前記第１の筐体に固定され、前記ファインダーを収納する方向の先端に凹部を有した弾性部材と、前記弾性部材の凹部に回転自在に軸支する軸を装着され、当該ファインダーの収納動作時及び引き出し動作時に、前記第２の筐体上を前記軸回りに回転移動するローラーとを備えたものである。
【００１１】
この構成によって、従来のプレス曲げによるスライド機構に比べ板ばねに軸支された円筒形のローラーと樹脂の溝形状が形状的に安定しており、かつ、ローラーの回動によりローラーとローラーと接する樹脂面の摩擦抵抗が少ないため、ＥＶＦを収納時から引出す際、及び引き出し時から収納する際に、ローラーが溝部からの脱出する時のクリック力や収納時や引出し時のスライド力が安定し、更に、クリック時やスライド時の摩擦による削れゴミ発生を防止することができる。
【００１２】
【発明の実施の形態】
本発明の請求項１に記載の発明は、ファインダーの引き出し及び収納が可能なＥＶＦスライドロック装置であって、第１の筐体と、前記ファインダーの収納時に前記第１の筐体の内部に収納される第２の筐体と、前記第１の筐体に固定され、前記ファインダーを収納する方向の先端に凹部を有した弾性部材と、前記弾性部材の凹部に回転自在に軸支する軸を装着され、当該ファインダーの収納動作時及び引き出し動作時に、前記第２の筐体上を前記軸回りに回転移動するローラーとを備えたものであり、ＥＶＦを収納動作時及び引き出し動作時のスライド力が安定し、更に、クリック時やスライド時の摩擦による削れゴミ発生を防止することができるという作用を有する。
【００１３】
請求項２に記載の発明は、上記ＥＶＦスライドロック装置における第２の筐体に設けられファインダー引き出し時に前記ローラーが係合する第１の溝と、前記第２の筐体に設けられファインダー収納時に前記ローラーが係合する第２の溝とをさらに備えたものであり、このような構成により、ＥＶＦを収納時から引出す際及び引き出し時から収納する際に、ローラーが溝部からの脱出する時のクリック力や収納時や引出し時のスライド力が安定し、更に、クリック時やスライド時の摩擦による削れゴミ発生を防止することができるという作用を有する。
【００１４】
以下、本発明の実施の形態について、図１から図２を用いて説明する。
【００１５】
（実施の形態１）
図１は本発明の実施の形態におけるＥＶＦスライド機構を用いたＥＶＦ搭載のビデオムービー本体を示す斜視図である。、図１（ａ）はＥＶＦスライド機構を収納した状態（ＥＶＦ未使用時）であり、図１（ｂ）は図１（ａ）に対してＥＶＦスライド機構を引出した状態（ＥＶＦ使用時）であり、図１（ｃ）は図１（ｂ）に対してＥＶＦスライド機構を引出した状態のままチルト（引き上げ）させた状態である。図１において、１はビデオカメラ本体、２はビデオカメラ本体２に回動自在に設けられたＥＶＦ、３はＥＶＦ２の先端に装着されたアイキャプである。
【００１６】
図２（ａ）は本実施の形態のＥＶＦスライド機構のＥＶＦ部分の構成を示す斜視図であり、図２（ｂ）はそのＥＶＦ部分の分解斜視図である。図２において、１０はゴムなどの弾性体からなるアイキャップ、１４はその中にＬＣＤやバックライトや回路基板などを備えた第２の筐体で、本実施の形態では強度や耐久性を高めるためにアルミニウムなどの金属部材より構成した。１１は外側にロック機構を構成するための溝形状を設けＥＶＦ収納時に第２の筐体を内挿する第１の筐体で、本実施の形態では摺動特性の良い樹脂材料で構成した。１２は第１の筐体１１に固定された弾性部材である板バネ、１３は第２の筐体１４の外側を所定の距離だけ相対移動可能に摺動することができ板バネ１２に回転可能に係合されたローラーであり、ＥＶＦの収納動作時及び引き出し動作時において、第２の筐体１４の上面を回転移動する。板バネ１２に回転可能に係合されたローラー１３として、表面租度の細かい金属材料や摺動特性の高い樹脂材料等が使用でき、特に金属材料はロック機構部品という意味から強度、耐久性の点から好ましい。１４ｄ及び１４ｅは第２の筐体１４の上面に設けられた第１及び第２の溝で、ＥＶＦ引き出し時はローラー１３が第１の溝１４ａに係合し、ＥＶＦ収納時はローラー１３が第２の溝に係合するようになっている。
【００１７】
以上のように構成された本実施の形態のＥＶＦスライドロック装置について、以下その動作を説明する。
【００１８】
図３（ａ）及び（ｂ）は本実施の形態のＥＶＦスライド機構要部の側断面図であり、図３（ａ）はＥＶＦを引き出した状態、図３（ｂ）はＥＶＦ収納状態である。図３（ｃ）は図３（ａ）におけるローラー１３が第１の溝１４ｄに係合された状態及びローラー１３が第１の溝１４ｄから矢印Ｅ方向に脱出した状態の拡大断面図であり、第２の溝１４ｅ付近の構成も基本的に同様である。
【００１９】
板バネ１２は第１の筐体１１に固定され、ローラー１３は第２の筐体１４の外側に設けられた第１の溝１４ｄ及び第２の溝１４ｅ間をローラー１３が回動することで、第１の筐体１１を所定の距離だけスライドさせることができる。ＥＶＦ引き出し時は、図３（ｃ）に示すように、ローラー１３が板バネ１２から矢印Ｄ方向のバネ荷重を受けて、角度θ２の勾配のついた第１の溝１４ｄに入りこむことで、ＥＶＦを引き出した状態で固定せしめている。収納時はローラー１３が矢印Ｅ方向へ脱出して、図３（ｂ）のように第２の溝１４ｅの位置まで回転しながら移動し、ローラー１３が第２の溝１４ｂに係合することにより、ＥＶＦスライド部分を収納した状態で固定する。
【００２０】
図４は本実施の形態のＥＶＦスライドロック装置における板バネ及びその板バネに係合し軸支されうるローラーの分解斜視図である。板バネ１２に設けられたＵ字型をした２対の軸受け部１２ａと、ローラー１３にバネ荷重をかけるためのバネ機能をもった押さえ部１２ｂは、図５（ａ）のように、互いにそのバネ性を利用して広げて矢印Ｇ方向へローラー１３を係合し、係合後は図５（ｂ）のように、ローラ１３が外れないようにそのＵ字部１２ａと押さえ部１２ｂ部とで、ローラー１２の軸１３ａと樹脂接触面１３ｂとを挟持することで板バネ１２に軸支される。
【００２１】
以上のように本実施の形態によれば、ＥＶＦを収納時から引き出す時及び引き出した状態から収納する時のクリック力は主に、矢印Ｄ方向からローラー１３にかかる板バネ荷重、第２の筐体１４の溝形状の角度θ２、ローラー１３と溝部１４ｂで接する第２の筐体１４の摩擦力により決定される。溝形状の角度θ２は樹脂のため形状が安定しており、また樹脂表面は摺動性が高く耐摩耗性に優れているため、従来の板バネで形成していたＶ形状と溝の係合からの脱出のクリック力と比較して安定したクリック力をだすことができる。
【００２２】
また、図３（ｃ）で、ＥＶＦスライド時において、ローラー１３の回転によりポイント１４Ｃにおける、ローラー１３と第２の筐体１４との摩擦は少なく、スムーズなＥＶＦのスライド力が得られ、摩擦による第２の筐体１４の表面削れを防止することができる。
【００２３】
さらに、ローラー１３を板バネ１２に保持するために他の部品を用いたり、軸支部をカシメなくても、板バネ１２のみでローラー１３を回動可能なように自己保持でき、また、ローラー１３の取り付け作業を容易にすることができる。
【００２４】
【発明の効果】
以上のように本発明は、ＥＶＦを引出したり収納したりする際に、ＥＶＦをスムーズにスライドさせ、また適度なクリック感で所定の収納位置及び引き出し位置に固定することができ、安定したスライド力やクリック感を得られ、かつスライド時における摺動削れによるゴミ発生防止ができ、また、その効果を発揮するために用いたローラーを容易に板バネに取り付け、組み立て作業を容易にするという優れた効果が得られる。
【図面の簡単な説明】
【図１】本発明の実施の形態のＥＶＦスライドロック装置を利用したビデオカメラの構成を示す斜視図
【図２】（ａ）同実施の形態におけるＥＶＦの構成を示す斜視図
（ｂ）同実施の形態におけるＥＶＦの分解構成を示す分解斜視図
【図３】（ａ）同実施の形態におけるＥＶＦ引き出し時の構成を示す断面図
（ｂ）同実施の形態におけるＥＶＦ収納時の構成を示す断面図
（ｃ）同実施の形態におけるローラー近傍の構成を示す要部断面図
【図４】同実施の形態における板バネ及びローラーの装着状態を示す斜視図
【図５】同実施の形態における板バネ及びローラーの装着状態を示す要部断面図
【図６】（ａ）従来のビデオカメラの構成を示す斜視図
（ｂ）同装置におけるＥＶＦの構成を示す斜視図
（ｃ）同装置の板バネによるロック状態を説明するための断面図
（ｄ）同装置における板バネ近傍の拡大断面図
【符号の説明】
１１  第１の筐体
１２  板バネ
１３  ローラー
１４  第２の筐体
１４ａ  第１の溝
１４ｂ  第２の溝
【図１】
0004178650.tif 000002
【図２】
0004178650.tif 000003
【図３】
0004178650.tif 000004
【図４】
0004178650.tif 000005
【図５】
0004178650.tif 000006
【図６】
0004178650.tif 000007